(57)【要約】【課題】  携帯機器にストラップやホルダーを取り付ける必要がなく、落下を防止することができると共に容易に取り出しが可能である携帯機器用保持具を提供すること。【解決手段】  携帯機器ＰＨの底面を支持する底面支持部２ａと携帯機器の両側面を支持する側面支持部２ｂと携帯機器の前面を支持する前面支持部２ｃと携帯機器の背面を支持する背面支持部２ｄとを有し上部開口部から携帯機器を挿入可能な保持具本体２と、保持具本体に設けられ衣服の布地に着脱自在に取付可能な取付機構３と、保持具本体の内面の少なくとも一部に設けられ、保持具本体よりも高い摩擦抵抗を発生させる材料で形成された摩擦抵抗部４とを備えている。【選択図】  図１
2015192154.tif 000002
【特許請求の範囲】
【請求項１】
携帯機器の底面を支持する底面支持部と前記携帯機器の両側面を支持する側面支持部と前記携帯機器の前面を支持する前面支持部と前記携帯機器の背面を支持する背面支持部とを有し上部開口部から前記携帯機器を挿入可能な保持具本体と、
前記保持具本体に設けられ衣服の布地に着脱自在に取付可能な取付機構と、
前記保持具本体の内面の少なくとも一部に設けられ、前記保持具本体よりも高い摩擦抵抗を発生させる材料で形成された摩擦抵抗部とを備えていることを特徴とする携帯機器用保持具。
【請求項２】
請求項１に記載の携帯機器用保持具において、
前記摩擦抵抗部が、布地で形成されていることを特徴とする携帯機器用保持具。
【請求項３】
請求項１又は２に記載の携帯機器用保持具において、
前記摩擦抵抗部と前記保持具本体との間に、厚さ調整用シートが少なくとも一枚挿入されていることを特徴とする携帯機器用保持具。
【請求項４】
請求項１から３のいずれか一項に記載の携帯機器用保持具において、
前記摩擦抵抗部の少なくとも一部が、前記保持具本体の一部に巻回された状態で面ファスナーにより着脱可能に固定されていることを特徴とする携帯機器用保持具。
【請求項５】
請求項１から４のいずれか一項に記載の携帯機器用保持具において、
前記背面支持部が、中央部から上方に突出したガイド板部を有していることを特徴とする携帯機器用保持具。
【請求項６】
請求項１から５のいずれか一項に記載の携帯機器用保持具において、
前記底面支持部上に、前記保持具本体よりも柔軟な材料で形成された高さ調整用のクッション部材が設置されていることを特徴とする携帯機器用保持具。
【請求項７】
請求項１から６のいずれか一項に記載の携帯機器用保持具において、
前記取付機構が、前記背面支持部の外面に設けられた突条部と、
前記衣服の布地を挟んだ状態で前記突条部に取り付けられるクリップ部材とを備えていることを特徴とする携帯機器用保持具。
【発明の詳細な説明】
【技術分野】
【０００１】
本発明は、衣服の胸ポケット等の内側に取り付けられて挿入された携帯電話機等の落下を防止可能な携帯機器用保持具に関する。
【背景技術】
【０００２】
一般に、携帯電話機や携帯情報端末（ＰＤＡ）等の携帯機器は、ワイシャツ等の上着の胸ポケットに入れて携行されることがある。この場合、身体を屈めたりした際に胸ポケットから携帯機器が滑り落ちて携帯機器が破損してしまうことがあった。特に、近年、いわゆるスマートフォン等の携帯電話機では、薄型化が図られ、薄板状とされたものが多く、胸ポケットから落ち易い。
【０００３】
従来、携帯電話機の落下防止のため、例えば特許文献１では、衣服に安全ピンで固定した部材を、携帯電話機に取り付けられたストラップ（ループ状体）に繋いで携帯機器の落下を防ぐ携帯機器用繋止具が記載されている。また、特許文献２では、携帯電話機に取り付けた状態でポケットに挿入した際にクリップでポケットを挟むクリップ及びクリップケースが記載されている。
【先行技術文献】
【特許文献】
【０００４】
【特許文献１】特開平１０−５０３３号公報
【特許文献２】特開２００６−９５２６１号公報
【発明の概要】
【発明が解決しようとする課題】
【０００５】
上記従来の技術には、以下の課題が残されている。
すなわち、上記特許文献１では、携帯電話機のストラップに繋いでポケットに取り付けるため、携帯電話機にストラップを取り付けるが必要であると共に、ストラップが取り付けられないスマートフォン等には適用ができないという問題があった。また、ポケットから携帯電話機を取り出す際には、繋止具からストラップを外す作業が必要であり、取り付け取り外しが面倒であるという不都合があった。さらに、特許文献２では、携帯電話機に予めホルダーを取り付けておく必要があり、携帯電話機自体が厚くなると共に携帯電話機の外観も変わってしまいデザイン性が悪くなってしまう問題があった。
【０００６】
本発明は、前述の課題に鑑みてなされたもので、携帯機器にストラップやホルダーを取り付ける必要がなく、落下を防止することができると共に容易に取り出しが可能である携帯機器用保持具を提供することを目的とする。
【課題を解決するための手段】
【０００７】
本発明は、前記課題を解決するために以下の構成を採用した。すなわち、第１の発明に係る携帯機器用保持具は、携帯機器の底面を支持する底面支持部と前記携帯機器の両側面を支持する側面支持部と前記携帯機器の前面を支持する前面支持部と前記携帯機器の背面を支持する背面支持部とを有し上部開口部から前記携帯機器を挿入可能な保持具本体と、前記保持具本体に設けられ衣服の布地に着脱自在に取付可能な取付機構と、前記保持具本体の内面の少なくとも一部に設けられ、前記保持具本体よりも高い摩擦抵抗を発生させる材料で形成された摩擦抵抗部とを備えていることを特徴とする。
【０００８】
この携帯機器用保持具では、保持具本体の内面の少なくとも一部に設けられ、保持具本体よりも高い摩擦抵抗を発生させる材料で形成された摩擦抵抗部を備えているので、胸ポケット等に取り付けた保持具本体に携帯機器が挿入された状態で身体を屈めたとき、摩擦抵抗部の摩擦抵抗により落下が防止される。
すなわち、摩擦抵抗部が保持具本体と携帯機器との間を埋め、身体を屈めたときに保持具本体の上部から斜め下方に重力で落ちようとする携帯機器が、当接している摩擦抵抗部の摩擦抵抗により滑らず、落下が防止される。また、底面支持部で携帯機器の下部が支持されることで、胸ポケットの底に携帯機器が落ちず、胸ポケットの形状が崩れ難くなると共に、携帯機器の上部を摘んで取り出し易くなる。
【０００９】
第２の発明に係る携帯機器用保持具は、第１の発明において、前記摩擦抵抗部が、布地で形成されていることを特徴とする。
すなわち、この携帯機器用保持具では、布地で形成されているので、手による携帯機器の取り出しを妨げるほど強い摩擦抵抗を有していないため、保持具本体の上部開口部から携帯機器を容易に取り出すことができる。さらに、携帯機器のディスプレイ面を摩擦抵抗部側に向けて挿入した場合、柔らかな布地でディスプレイ面を保護すると共に、携帯機器の取り出し時に摩擦抵抗部とディスプレイ面とが擦れ合うことで、ディスプレイ面の汚れや埃を拭き取ることもできる。
【００１０】
第３の発明に係る携帯機器用保持具は、第１又は第２の発明において、前記摩擦抵抗部と前記保持具本体との間に、厚さ調整用シートが少なくとも一枚挿入されていることを特徴とする。
すなわち、この携帯機器用保持具では、摩擦抵抗部と保持具本体との間に、厚さ調整用シートを少なくとも一枚挿入することで、携帯機器の厚さに応じて摩擦抵抗部と携帯機器との間に隙間が生じる場合、厚さ調整用シートを挿入することで上部開口部の幅を調整し、前記隙間を無くして摩擦抵抗部を安定して携帯機器に接触させることができる。また、厚さ調整用シートの挿入枚数を調整することで、挿入時の携帯機器に対する摩擦抵抗部の押圧力を厚さで調整して摩擦抵抗による保持力を調整することができると共に、摩擦抵抗部の弾力調整も行うことができる。
【００１１】
第４の発明に係る携帯機器用保持具は、第１から第３の発明のいずれかにおいて、前記摩擦抵抗部の少なくとも一部が、前記保持具本体の一部に巻回された状態で面ファスナーにより着脱可能に固定されていることを特徴とする。
すなわち、この携帯機器用保持具では、摩擦抵抗部の少なくとも一部が、保持具本体の一部に巻回された状態で面ファスナーにより着脱可能に固定されているので、摩擦抵抗部を容易に着脱でき、汚れた摩擦抵抗部の交換や洗濯を行うことができる。
【００１２】
第５の発明に係る携帯機器用保持具は、第１から第４の発明のいずれかにおいて、前記背面支持部が、中央部から上方に突出したガイド板部を有していることを特徴とする。
すなわち、この携帯機器用保持具では、背面支持部が、中央部から上方に突出したガイド板部を有しているので、ガイド板部に携帯機器の下部を当てながら保持具本体に挿入することでガイド板部に携帯機器がガイドされてスムーズに保持具本体内への挿入を行うことができる。
【００１３】
第６の発明に係る携帯機器用保持具は、第１から第５の発明のいずれかにおいて、前記底面支持部上に、前記保持具本体よりも柔軟な材料で形成された高さ調整用のクッション部材が設置されていることを特徴とする。
すなわち、この携帯機器用保持具では、底面支持部上に、保持具本体よりも柔軟な材料で形成された高さ調整用のクッション部材が設置されているので、携帯機器の縦サイズが小さい場合でもクッション部材を設置することで、底面支持部が底上げされ、挿入状態の携帯機器の上部が適度に保持具本体から突出するように設定可能である。これにより、縦サイズの小さい携帯機器でも携帯機器の上部を容易に摘んで取り出すことができる。
【００１４】
第７の発明に係る携帯機器用保持具は、第１から第６の発明のいずれかにおいて、前記取付機構が、前記背面支持部の外面に設けられた突条部と、前記衣服の布地を挟んだ状態で前記突条部に取り付けられるクリップ部材とを備えていることを特徴とする。
すなわち、この携帯機器用保持具では、取付機構が、背面支持部の外面に設けられた突条部と、衣服の布地を挟んだ状態で突条部に取り付けられるクリップ部材とを備えているので、例えば胸ポケットの身体側の生地を挟んだ状態で突条部にクリップ部材を取り付けることで容易に携帯機器用保持具を胸ポケット内に固定することができる。また、クリップ部材を外すだけで容易に携帯機器用保持具を胸ポケットから取り出すことができる。さらに、胸ポケットの身体側の生地に固定されることで、携帯機器を携帯機器用保持具に挿入した状態でも、胸ポケットが携帯機器の重さによって垂れ下がって、だらしなく見えることを防止できる。
【発明の効果】
【００１５】
本発明によれば、以下の効果を奏する。
すなわち、本発明に係る携帯機器用保持具によれば、保持具本体の内面の少なくとも一部に設けられ、保持具本体よりも高い摩擦抵抗を発生させる材料で形成された摩擦抵抗部を備えているので、保持具本体に携帯機器が挿入された状態で身体を屈めたとき、摩擦抵抗部の摩擦抵抗により落下が防止される。したがって、携帯機器にストラップやホルダーを取り付ける必要がなく、落下を防止することができると共に容易に取り出しが可能である。
【図面の簡単な説明】
【００１６】
【図１】本発明に係る携帯機器用保持具の一実施形態を示す正面図である。
【図２】本実施形態において、胸ポケット内に携帯機器用保持具を固定し携帯機器を挿入させた状態を示す図である。
【図３】本実施形態において、保持具本体の正面支持部を示す正面図である。
【図４】本実施形態において、保持具本体の背面支持部を示す背面図である。
【図５】本実施形態において、保持具本体を示す背面側から見た斜視図である。
【図６】本実施形態において、摩擦抵抗部を示す表面図（ａ）及び裏面図（ｂ）である。
【図７】本実施形態において、摩擦抵抗部を折り畳んだ状態を示す正面図（ａ）及び背面図（ｂ）である。
【図８】本実施形態において、摩擦抵抗部を背面支持部に装着した状態を示す要部の断面図である。
【図９】本実施形態において、クリップ部材で胸ポケットの身体側の生地に携帯機器用保持具を固定した際の要部の断面図である。
【図１０】本実施形態において、クッション部材を設置した際の携帯機器用保持具を示す背面図である。
【発明を実施するための形態】
【００１７】
以下、本発明に係る携帯機器用保持具の一実施形態を、図１から図１０を参照しながら説明する。
【００１８】
本実施形態の携帯機器用保持具１は、図１及び図２に示すように、ワイシャツや上着等の衣服Ｙの胸ポケットＰ内に挿入されて取り付けられるものであって、携帯機器ＰＨの底面を支持する底面支持部２ａと携帯機器ＰＨの両側面を支持する側面支持部２ｂと携帯機器ＰＨの前面を支持する前面支持部２ｃと携帯機器ＰＨの背面を支持する背面支持部２ｄとを有し上部開口部から携帯機器ＰＨを挿入可能な保持具本体２と、保持具本体２に設けられ衣服Ｙの布地に着脱自在に取付可能な取付機構３と、保持具本体２の内面の少なくとも一部に設けられ、保持具本体２よりも高い摩擦抵抗を発生させる材料で形成された摩擦抵抗部４とを備えている。
【００１９】
上記携帯機器ＰＨは、例えば表面側に液晶ディスプレイ等のディスプレイ面Ｄが設けられたスマートフォンと呼ばれる板状の携帯電話機である。
上記正面支持部２ｃは、図３に示すように、横方向に延在した正面横支持部１２ａと、正面横支持部１２ａの中央から下方に延在し途中から２股に分かれた正面縦支持部１２ｂとで構成されている。
上記背面支持部２ｄは、図４に示すように、横方向に延在した背面横支持部１３ａと、背面横支持部１３ａの中央から下方に延在し途中から２股に分かれた背面縦支持部１３ｂとで構成されている。
【００２０】
正面横支持部１２ａと背面横支持部１３ａとは、図５に示すように、互いの端部が側面支持部２ｂを介して固定されている。正面横支持部１２ａと背面横支持部１３ａと側面支持部２ｂとにより長方形状に囲まれた上部は、保持具本体２の上部開口部を形成している。また、正面縦支持部１２ｂと背面縦支持部１３ｂとは、互いの端部が底面支持部２ａを介して固定されている。したがって、正面支持部２ｃと背面支持部２ｄとは、側面支持部２ｂ及び底面支持部２ａを介して固定され、全体として携帯機器ＰＨを囲む枠状に形成されている。なお、上記各支持部を個別に作製して連結し固定することで、保持具本体２を作製しても良いが、保持具本体２の全体又は主要部分を一体成形で形成しても構わない。また、保持具本体２は、軽量化の観点から枠状に形成することが好ましいが、携帯機器ＰＨの上部を除いた周囲を覆うような箱状又は筒状に形成しても構わない。
【００２１】
また、背面支持部２ｄは、中央部から上方に突出したガイド板部７を有している。このガイド板部７は、楕円板状に形成されている。すなわち、背面支持部２ｄは、人型を模した大の字状に形成されている。
なお、保持具本体２は、ポリカーボネイト等のプラスチック製である。なお、保持具本体２をアルミニウム等の他の材料で形成しても構わない。
【００２２】
また、摩擦抵抗部４と保持具本体２との間には、図６から図８に示すように、厚さ調整用シート５が少なくとも一枚挿入されている。
さらに、摩擦抵抗部４の少なくとも一部が、保持具本体２の一部に巻回された状態で面ファスナー５により着脱可能に固定されている。
【００２３】
上記摩擦抵抗部４は、布地で形成することが好ましく、本実施形態の摩擦抵抗部４は、マイクロファイバーで形成されている。摩擦抵抗部４は、図６に示すように、展開すると上部がＶ字状にカットされており、四隅に面ファスナー６が取り付けられている。また、摩擦抵抗部４の中央部に厚さ調整用シート５が貼り付けられている。
上記厚さ調整用シート５は、綿等の布地又は紙で背面横支持部１３ａの形状に対応して形成された短冊状のシートであり、摩擦抵抗部４の裏面側に両面テープ５ａで接着されている。なお、複数枚を重ねて設置する際は、厚さ調整用シート５同士を両面テープ５ａで接着する。また、本実施形態では、両面テープ５ａを中央部に１つ貼り付けて厚さ調整用シート５を接着しているが、中央部に限らないと共に、厚さ調整用シート５に対して全体又複数個所に両面テープ５ａを貼り付けても構わない。また、複数枚を重ねて設置する際は、両面テープ５ａが重なって部分的に厚くなってしまうことを防ぐために、両面テープ５ａ同士を少しずつずらして貼り付けることが好ましい。
【００２４】
摩擦抵抗部４は、保持具本体２に取り付ける際は、図７に示すように、Ｖ字状にカットされた上部を折り返し、背面横支持部１３ａを挟んだ状態で背面横支持部１３ａの下方において対向させた面ファスナー６を貼り合わせて固定する。この際、Ｖ字状の上部はガイド板部７の両側で背面横支持部１３ａの内側から外側に折り返す。また、厚さ調整用シート５は、図８に示すように、背面横支持部１３ａの内側で、背面横支持部１３ａと摩擦抵抗部４とに挟まれた状態で配される。
【００２５】
上記取付機構３は、図９に示すように、背面支持部２ｄの外面に設けられた突条部２ｅと、衣服Ｙの布地Ｋを挟んだ状態で突条部２ｅに取り付けられるクリップ部材８とを備えている。このクリップ部材８は、例えばダブルクリップであり、２個又は３個で布地Ｋを挟んだ状態で突条部２ｅに取り付けられる。
上記突条部２ｅは、背面支持部２ｄから背面方向に突出し背面支持部２ｄの延在方向に沿った直線状に形成されている。
【００２６】
なお、携帯機器ＰＨの縦サイズが小さく、携帯機器用保持具１に入れた状態でも胸ポケットＰから上部が突出せずに、摘んで取り出し難い場合、図１０に示すように、底面支持部２ａ上に、保持具本体２よりも柔軟な材料で形成された高さ調整用のクッション部材１１を設置する。
このクッション部材１１は、スポンジ材等の柔軟な材料で直方体状に形成され、正面縦支持部１２ｂと背面縦支持部１３ｂと底面支持部２ａの間に両面テープ等を用いて設置される。
【００２７】
このように本実施形態の携帯機器用保持具１は、保持具本体２の内面の少なくとも一部に設けられ、保持具本体２よりも高い摩擦抵抗を発生させる布地で形成された摩擦抵抗部４を備えているので、胸ポケットＰ等に取り付けた保持具本体２に携帯機器ＰＨが挿入された状態で身体を屈めたとき、摩擦抵抗部４の摩擦抵抗により落下が防止される。
すなわち、摩擦抵抗部４が保持具本体２と携帯機器ＰＨとの間を埋め、身体を屈めたときに保持具本体２の上部から斜め下方に重力で落ちようとする携帯機器ＰＨが、当接している摩擦抵抗部４の摩擦抵抗により滑らず、落下が防止される。
【００２８】
また、摩擦抵抗部４は布地で形成されているので、手による携帯機器ＰＨの取り出しを妨げるほど強い摩擦抵抗を有していないため、保持具本体２の上部開口部から携帯機器ＰＨを容易に取り出すことができる。さらに、摩擦抵抗部４が布地で形成されているので、携帯機器ＰＨのディスプレイ面Ｄを摩擦抵抗部４側に向けて挿入した場合、柔らかな布地でディスプレイ面Ｄを保護すると共に、携帯機器ＰＨの取り出し時に摩擦抵抗部４とディスプレイ面Ｄとが擦れ合うことで、ディスプレイ面Ｄの汚れや埃を拭き取ることもできる。
【００２９】
また、保持具本体２が枠状であるため、軽量であり、胸ポケットＰ内に固定しても重さによる負担や上着の弛み等が少ない。さらに、底面支持部２ａで携帯機器ＰＨの下部が支持されることで、胸ポケットＰの底に携帯機器ＰＨが落ちず、胸ポケットＰの形状が崩れ難くなると共に、携帯機器ＰＨの上部を摘んで取り出し易くなる。
【００３０】
また、摩擦抵抗部４と保持具本体２との間に、厚さ調整用シート５が少なくとも一枚挿入されているので、携帯機器ＰＨの厚さに応じて摩擦抵抗部４と携帯機器ＰＨとの間に隙間が生じる場合、厚さ調整用シート５を挿入することで上部開口部の幅を調整し、前記隙間を無くして摩擦抵抗部４を安定して携帯機器ＰＨに接触させることができる。また、厚さ調整用シート５の挿入枚数を調整することで、挿入時の携帯機器ＰＨに対する摩擦抵抗部４の押圧力を厚さで調整して摩擦抵抗による保持力を調整することができると共に、摩擦抵抗部４の弾力調整も行うことができる。なお、厚さ調整用シート５を挿入しなくても摩擦抵抗部４と携帯機器ＰＨとの間に隙間が生じず、十分な摩擦抵抗が生じる場合は、厚さ調整用シート５は不要である。
【００３１】
さらに、摩擦抵抗部４の少なくとも一部が、保持具本体２の一部に巻回された状態で面ファスナー６により着脱可能に固定されているので、摩擦抵抗部４を容易に着脱でき、汚れた摩擦抵抗部４の交換や洗濯を行うことができる。
また、背面支持部２ｄが、中央部から上方に突出したガイド板部７を有しているので、ガイド板部７に携帯機器ＰＨの下部を当てながら保持具本体２に挿入することでガイド板部７に携帯機器ＰＨがガイドされてスムーズに保持具本体２内への挿入を行うことができる。
【００３２】
また、取付機構３が、背面支持部２ｄの外面に設けられた突条部２ｅと、衣服Ｙの布地Ｋを挟んだ状態で突条部２ｅに取り付けられるクリップ部材８とを備えているので、例えば胸ポケットＰの身体側の生地を挟んだ状態で突条部２ｅにクリップ部材８を取り付けることで容易に携帯機器用保持具１を胸ポケットＰ内に固定することができる。また、クリップ部材８を外すだけで容易に携帯機器用保持具１を胸ポケットＰから取り出すことができる。さらに、胸ポケットＰの身体側の生地に固定されることで、携帯機器ＰＨを携帯機器用保持具１に挿入した状態でも、胸ポケットＰが携帯機器ＰＨの重さによって垂れ下がって、だらしなく見えることを防止できる。
【００３３】
なお、底面支持部２ａ上に、保持具本体２よりも柔軟な材料で形成された高さ調整用のクッション部材１１を設置することで、携帯機器ＰＨの縦サイズが小さい場合でも、底面支持部２ａが底上げされ、挿入状態の携帯機器ＰＨの上部が適度に保持具本体２から突出するように設定可能である。これにより、縦サイズの小さい携帯機器ＰＨでも携帯機器ＰＨの上部を容易に摘んで取り出すことができる。
【００３４】
なお、本発明の技術範囲は上記実施形態に限定されるものではなく、本発明の趣旨を逸脱しない範囲において種々の変更を加えることが可能である。
【００３５】
例えば、上記実施形態では、取付機構のクリップ部材及び突条部を用いて背面支持部側で衣服に固定したが、正面支持部側に取付機構を設けて胸ポケットの前面の生地に固定しても構わない。この場合、携帯機器の重みが胸ポケットの前面に加わってしまうために、胸ポケットが弛んでしまうが、胸ポケットの裏に手を回してクリップ部材を外す必要が無く、さらに容易に携帯機器用保持具を着脱可能になる。また、取付機構として、ペン等の上部に設けられているクリップ構造を、前面支持部側に設けて胸ポケットの前面の生地に取り付けても構わない。
また、摩擦抵抗部を背面横支持部に取り付けたが、他の部分に設置して構わない。例えば、正面横支持部等の内側に摩擦抵抗部を設けても構わない。
【符号の説明】
【００３６】
１…携帯機器用保持具、２…保持具本体、２ａ…底面支持部、２ｂ…側面支持部、２ｃ…前面支持部、２ｄ…背面支持部、２ｅ…突条部、３…取付機構、４…摩擦抵抗部、５…厚さ調整用シート、６…面ファスナー、７…ガイド板部、８…クリップ部材、１１…クッション部材、Ｋ…衣服の布地、ＰＨ…携帯機器、Ｙ…衣服
【図１】
2015192154.tif 000003
【図２】
2015192154.tif 000004
【図３】
2015192154.tif 000005
【図４】
2015192154.tif 000006
【図５】
2015192154.tif 000007
【図６】
2015192154.tif 000008
【図７】
2015192154.tif 000009
【図８】
2015192154.tif 000010
【図９】
2015192154.tif 000011
【図１０】
2015192154.tif 000012